(57)【要約】【課題】画面回転角度や撮影時の回転角度を決定する際に、無駄なボタンや操作を無くし、スペース確保と操作性を向上させることのできる携帯型情報処理装置を提供することを目的とする。【解決手段】図２（ａ）のような方向で携帯型情報処理装置１０に指１１を指紋情報入力装置１０２に置いたときに、表示装置１０１に表示画面１０１ａのような画面が表示された場合、携帯型情報処理装置１０を図２（ｂ）のような方向に変えて、指紋情報入力装置１０２に対し指を置いて指紋情報を入力すると、表示画面１０１ａが左９０度回転され、画面表示が図のように変わる。また、図２（ｃ）のように携帯型情報処理装置１０を図２（ａ）とは逆向きの方向で指紋情報を入力すると、１８０度回転した画面が表示される。図２（ｄ）のように入力した場合も、同様に右９０度回転された画像が出力される。【選択図】図２
2006072872.tif 000002
【特許請求の範囲】
【請求項１】
表示装置と、指紋情報を入力するための指紋情報入力装置と、前記指紋情報入力装置で入力した指紋の入力角度を検出する入力角度検出手段と、前記入力角度検出手段で検出した入力角度に対応して、前記表示装置の表示画面を回転する画面回転手段を有する情報処理装置。
【請求項２】
映像をデジタルデータとして撮影するためのカメラ装置と、表示装置と、指紋情報を入力するための指紋情報入力装置と、前記指紋情報入力装置で入力した指紋の入力角度を検出する入力角度検出手段と、映像撮影時に前記入力角度検出手段で検出した入力角度に対応して、前記カメラ装置で撮影した映像データの所定位置に、デジタルデータを回転して合成する合成データ回転手段を有する情報処理装置。
【請求項３】
合成データ回転手段が回転するデジタルデータは撮影年月日、または撮影位置、または撮影位置の固有名称を含んだ文字列であることを特徴とする請求項２記載の情報処理装置。
【請求項４】
あらかじめ入力した指紋情報を管理するための指紋情報管理手段と、２つの指紋情報の一致度を比較する指紋情報比較手段を有し、前記指紋情報比較手段は前記指紋情報管理手段で管理している指紋情報と、指紋情報入力装置が取得した指紋情報を同一角度に変換して一致度を比較し、所定の一致度以上の指紋を特定した場合に所定の動作を実行することを特徴とする請求項１ないし請求項３のいずれかに記載の情報処理装置。
【請求項５】
画面回転手段は、入力角度検出手段が検出した入力角度を所定角度単位に変換した角度を用いて画面回転することを特徴とする請求項１ないし請求項４のいずれかに記載の情報処理装置。
【請求項６】
画面回転手段は、指紋情報比較手段が特定した指紋情報と入力角度を用いて画面回転することを特徴とする請求項１ないし請求項４のいずれかに記載の情報処理装置。
【請求項７】
合成データ回転手段は、入力角度検出手段が検出した入力角度を所定角度単位に変換した角度を用いてデジタルデータを回転することを特徴とする請求項２ないし請求項４のいずれかに記載の情報処理装置。
【請求項８】
合成データ回転手段は、指紋情報比較手段が特定した指紋情報と入力角度を用いてデジタルデータを回転することを特徴とする請求項２ないし請求項４のいずれかに記載の情報処理装置。
【請求項９】
表示装置と、指紋情報を入力するための指紋情報入力装置と、前記指紋情報入力装置で入力した指紋の入力角度を検出する入力角度検出手順と、前記入力角度検出手順で検出した入力角度に対応して、前記表示装置の表示画面を回転する画面回転手順を有する情報処理装置の画面回転方法。
【請求項１０】
映像をデジタルデータとして撮影するためのカメラ装置と、表示装置と、指紋情報を入力するための指紋情報入力装置と、前記指紋情報入力装置で入力した指紋の入力角度を検出する入力角度検出手順と、映像撮影時に前記入力角度検出手順で検出した入力角度に対応して、前記カメラ装置で撮影した映像データの所定位置に、デジタルデータを回転して合成する合成データ回転手順を有する情報処理装置の合成データ回転方法。
【請求項１１】
合成データ回転手順が回転するデジタルデータは撮影年月日、または撮影位置、または撮影位置の固有名称を含んだ文字列であることを特徴とする請求項１０記載の情報処理装置の合成データ回転方法。
【請求項１２】
あらかじめ入力した指紋情報を管理するための指紋情報管理手順と、２つの指紋情報の一致度を比較する指紋情報比較手順を有し、前記指紋情報比較手順は前記指紋情報管理手順で管理している指紋情報と、前記指紋情報入力装置が取得した指紋情報を同一角度に変換して一致度を比較し、所定の一致度以上の指紋を特定した場合に所定の動作を実行することを特徴とする請求項９ないし請求項１１のいずれかに記載の情報処理装置の動作実行方法。
【請求項１３】
画面回転手順は、入力角度検出手順が検出した入力角度を所定角度単位に変換した角度を用いて画面回転することを特徴とする請求項９ないし請求項１２記載の情報処理装置の画面回転方法。
【請求項１４】
画面回転手順は、指紋情報比較手順が特定した指紋情報と入力角度を用いて画面回転することを特徴とする請求項９ないし請求項１２のいずれかに記載の情報処理装置の画面回転方法。
【請求項１５】
合成データ回転手順は、入力角度検出手順が検出した入力角度を所定角度単位に変換した角度を用いてデジタルデータを回転することを特徴とする請求項１０ないし請求項１２のいずれかに記載の情報処理装置の合成データ回転方法。
【請求項１６】
合成データ回転手順は、指紋情報比較手順が特定した指紋情報と入力角度を用いてデジタルデータを回転することを特徴とする請求項１０ないし請求項１２のいずれかに記載の情報処理装置の合成データ回転方法。
【発明の詳細な説明】
【技術分野】
【０００１】
本発明は、操作者が表示画面やカメラの使用方向を意識しなくても、簡単に表示画面を回転したり、カメラで撮影した映像に撮影情報を回転して合成することができる携帯型情報処理装置に関するものである。
【背景技術】
【０００２】
近年、薄型の表示装置の普及などにより、内蔵する表示装置にペンなどで直接入力を行うタブレット型の携帯型情報処理装置が増えつつある。通常、タブレット型の情報処理装置は、用途や表示内容によって「縦使い」、「横使い」に切り替えて使用することが多いため、使用者が使用する角度に合わせて画面を回転する機能が搭載されているが、この画面回転機能を使用するためには専用のボタンを携帯型情報処理装置に配置し、ボタンを押下して入力する必要があった（例えば特許文献１参照）。
【０００３】
また、近年の携帯電話のような携帯型情報処理装置では、高画質のカメラが内蔵され、専用カメラ並みの映像を撮影することが可能となったが、撮影年月日などの情報を合成する場合は、いつも固定位置に合成されるため、「縦使い」または「横使い」のどちらか一方は、必ず映像の撮影方向とは異なる方向となっていた。
【０００４】
図８はそのような携帯型情報処理装置を示す概略図で、携帯型情報処理装置８０は表示装置８０１、カメラ装置(図示せず)のシャッター８０２を有している。ここで、シャッター８０２を押しカメラ装置より写真を撮影し、図で示すように写真の撮影日時が合成されたとする。この場合、図８（ａ）のように画像８０１ａの向きと日付８０１ｂの向きと位置が適当な写真が得られたが、図８（ｂ）のように携帯型情報処理装置８０を回転した状態で、シャッター８０２を押しカメラ装置より撮影すると、図で示したように画像８０１ａの向きと日付８０１ｂの向きと位置が適切ではない写真が得られる。これは、携帯型情報処理装置８０に縦向き用、横向き用で適切な位置に日付情報を出力する撮影モードを有していれば解決できる問題であるが、カメラ装置の性質上、カメラ装置の「縦使い」「横使い」を撮影する状況に合わせて頻繁に変更することが容易に想像でき、その場合、都度縦使いモードと横使いモードとを切り替えて使用せねばならないため、ユーザーに面倒な操作を強要することになりかねない。
【特許文献１】特開平９−１７９６８６号公報
【発明の開示】
【発明が解決しようとする課題】
【０００５】
しかしながら、ボタン入力で画面回転をさせる方法では、ボタンが１つの場合だと、目的の角度に画面を回転させるために複数回の入力が必要となり、またボタンを目的角度に合わせて複数用意する場合だと、複数のボタンを配置するためのスペースが必要となってしまう。また、従来の技術を利用したカメラで撮影情報を映像に合成する場合だと、撮影情報を「縦使いで下辺部に合成」するように設定して「横使い」で撮影したり、「横使いで下辺部に合成」するように設定して「縦使い」で撮影すると、撮影情報は被写体の方向とは異なる方向で合成されてしまうが、カメラのように短い時間に「縦使い」と「横使い」の撮影を繰り返し行う用途でその都度設定を変更することは、操作者に過度の負担がかかってしまう。
【０００６】
本発明は、画面回転角度や撮影時の回転角度を決定する際に、無駄なボタンや操作を無くし、スペース確保と操作性を向上させることのできる携帯型情報処理装置を提供することを目的とする。
【課題を解決するための手段】
【０００７】
上記課題を解決するために、本発明の携帯型情報処理装置は、表示装置と、指紋情報を入力するための指紋情報入力装置と、指紋情報入力装置で入力した指紋の入力角度を検出する入力角度検出手段と、入力角度検出手段で検出した入力角度に対応して、表示装置の表示画面を回転する画面回転手段を有することで、指紋の入力角度から表示画面の回転角度を決定して最適な方向に画面を表示することができる。
【０００８】
また、映像をデジタルデータとして撮影するためのカメラ装置と、表示装置と、指紋情報を入力するための指紋情報入力装置と、指紋情報入力装置で入力した指紋の入力角度を検出する入力角度検出手段と、映像撮影時に入力角度検出手段で検出した入力角度に対応して、カメラ装置で撮影した映像データの所定位置に、デジタルデータを回転して合成する合成データ回転手段を有することで、指紋の入力角度から被写体の回転角度を決定して最適な位置に撮影情報を合成することができる。
【０００９】
また、あらかじめ入力した指紋情報を登録し管理するための指紋情報管理手段と、登録された指紋と新たに入力された指紋の２つの指紋情報の一致度を比較する指紋情報比較手段を有し、指紋情報比較手段は指紋情報管理手段で管理している指紋情報と、指紋情報入力装置が取得した指紋情報を同一角度に変換して一致度を比較し、所定の一致度以上の指紋を特定した場合に所定の動作を実行することで、複数の操作者の指を登録し１台の携帯型情報処理装置を共同利用することができる。
【００１０】
また、入力角度検出手段が検出した入力角度を所定角度単位に丸めた角度を用いることで、誤動作を防止することができる。
【００１１】
また、指紋情報比較手段が特定した指紋情報と入力角度を用いて画面回転することで、携帯型情報処理装置を使用する用途（使用方向）ごとに最も操作しやすい指とその角度で画面回転や被写体撮影時の撮影情報を合成することができる。
【発明の効果】
【００１２】
本発明の携帯型情報処理装置は、上記構成を有して、指紋照合技術を応用し、画面回転角度や撮影時の回転角度を決定することで、無駄なボタンや操作を無くし、スペース確保と操作性を向上させることができる。
【発明を実施するための最良の形態】
【００１３】
以下、本発明の実施の形態を、図面を参照しながら説明する。
【００１４】
（実施の形態１）
図１は、本発明の第１の実施の形態に係る携帯型情報処理装置の構成図、図２は動作を示す概略図、図３は指紋情報入力装置の入力角度と画面の回転角度の関係を表す図、図４は画面回転処理の一連の流れを示すフローチャートである。
【００１５】
図において、１０１は携帯型情報処理装置１０の表示装置、１０２はユーザーが指紋情報を入力するための指紋情報入力装置、１０３は指紋情報入力装置１０２で入力した指紋の入力角度を求める入力角度検出手段、１０４は入力角度検出手段１０３で求められた角度に従い、適切な角度に表示画面１０１ａを回転させる画面回転手段、１０５はあらかじめ入力しておいた指紋情報を格納し管理する指紋情報管理手段、１０６は指紋情報入力装置１０２によって入力された指紋情報と、指紋情報管理手段１０５に格納されている指紋情報とを比較し、一致度の高い指紋情報を検出する指紋情報比較手段である。
【００１６】
以上のように構成された第１の実施の形態の携帯型情報処理装置の動作について、図２を用いて説明する。本実施の形態は、タブレット型の携帯型情報処理装置について示したものである。
【００１７】
この実施の形態では、本発明に係る携帯型情報処理装置の一例としてタブレット型の携帯型情報処理装置について説明するが、必ずしもタブレット型の携帯型情報処理装置に限るものではなく、例えばノート型あるいはデスクトップ型のコンピュータや、ＰＤＡと呼ばれる携帯情報端末や、ＰＨＳを含む携帯電話や、ＧＰＳ原理に基づく携帯型位置計測装置や、デジタル化され且つ圧縮された、或いはデジタル化されていない又は圧縮されていないこともある音楽を録音、或いは再生する携帯型音楽再生装置や、デジタル化され且つ圧縮された或いはデジタル化されていない、又は圧縮されていないこともある映像を録画或いは再生する携帯型映像再生装置や、これらの機器の機能の一部又は全部の１つ又は複数を行う情報処理装置や、その他各種の業務用、或いは家庭用、或いはこれらを兼ね備えた機器の一部又は全部であっても構わない。
【００１８】
携帯型情報処理装置１０は表示装置１０１、指紋情報入力装置１０２を有している。なお、図２における指紋情報入力装置１０２は、指を置いて入力させるものであるが、指をスライドさせて入力するタイプのものでも構わず、指紋情報を検出するための指紋センサは光学式、静電誘導方式などさまざまな方式が存在するが、どのような方式でも構わない。
【００１９】
ここで、図２（ａ）のような方向で携帯型情報処理装置１０に指１１を指紋情報入力装置１０２に置いたときに、表示装置１０１に表示画面１０１ａのような画面が表示された場合を想定する。このとき、携帯型情報処理装置１０を図２（ｂ）のような方向に変えて、指紋情報入力装置１０２に対し指を置いて指紋情報を入力すると、表示画面１０１ａが左９０度回転され、画面表示が図のように変わる。また、図２（ｃ）のように携帯型情報処理装置１０を図２（ａ）とは逆向きの方向で指紋情報を入力すると、図のように１８０度回転した画面が表示される。図２（ｄ）のように入力した場合も、同様に右９０度回転された画像が出力されることになる。
【００２０】
つまり、携帯型情報処理装置１０がいずれの状態からも、指紋情報を入力した場合、指１１と同じ方向の画面表示となり、ユーザーに対して常に同じ方向に表示画面１０１ａを表示させることができる。例えば、１台の携帯型情報処理装置１０を、指紋情報管理手段１０５に指紋情報が格納された４人のユーザーで画面表示を見る場合、携帯型情報処理装置１０の向きを変えることなく、他の角度の画面表示状態より対応する方向への指紋情報の入力により、４人のユーザーそれぞれ自身が見やすい方向に回転させることが可能である。
【００２１】
このように、入力する指の向きによって画面の回転角度の制御を行うことができ、図３（ａ）で示すように、９０度単位での回転角度の制御を行っており、入力された指の角度が３１６〜４５度の範囲であれば１８０度回転、４６〜１３５度の範囲であれば左９０度回転、１３６〜２２５であれば０度回転（回転しない）、２２６〜３１５度の範囲であれば２７０度回転としている。上記では９０度単位で回転するため間隔を９０度ごとに設定したが、０度回転が不要である場合は、図３（ｂ）で示すように０度回転をなくし、３０１〜６０度の範囲であれば１８０度回転、６１〜１８０度の範囲であれば左９０度回転、１８１〜３００度の範囲であれば右９０度回転というように回転角度を１２０度ごとで制御することも可能である。さらに、回転角度の切り分けをより細かくすることにより、例えば４５度単位での回転制御をするなど、回転可能な角度を増やすことも可能である。
【００２２】
また、指紋情報の入力に使用する指は両手合わせて１０指あり、対象とする操作や機器に合わせて変更することも可能である。例えば、右９０度回転は右手の指のみで操作し左９０度回転は左手の指のみで操作する、又は右手の場合は、図３（ｃ）のように右９０度回転に偏った回転制御をし、左手の場合は図３（ｄ）のように左９０度回転に偏った回転制御をすることもできる。これは、右手、左手だけでなく右手の親指の場合の回転制御、左手の人差し指の場合の回転制御という形で指一つ一つに対し制御を行うことにより、ユーザビリティーの向上を図ることができる。
【００２３】
次に、本実施の形態における画面回転処理の一連の流れを図４のフローチャートを用いて説明する。
【００２４】
ステップ２０１で、指紋情報入力装置により指紋情報を入力する。
【００２５】
ステップ２０２で、入力された指紋と指紋情報管理手段にあらかじめ格納されている指紋情報との比較を指紋情報比較手段にて行う。ステップ２０１において入力された指紋情報は、常に一定の方向とは限らないため、入力された指紋情報を回転しながら比較を行う。
【００２６】
ステップ２０３で、入力された指紋情報と指紋情報管理手段の有する指紋情報がマッチしたか否かを判定する。マッチしなかった場合は終了する（ステップ２０９）。
【００２７】
これら、ステップ２０１〜２０３の動作は従来の指紋認証装置の動作と同じである。ただし、本発明においては、必ずしも指紋によって本人認証が成される必要はなく、本人や使用する指を特定する必要がないときは、入力された角度さえ得られればよい。その場合、例えば指紋情報の比較の際に、マッチしたか否かを判定する基準を通常の本人認証の場合よりも低めに設定するなどし、厳密に本人認証をしなくとも構わない。
【００２８】
ステップ２０４で、指紋情報の入力角度を入手し、必要であれば使用した指がどの指かを入手する。指紋情報の入力角度は、ステップ２０２で述べたように入力された指紋情報を回転しながら比較を行い、マッチしたときの回転角度が入力角度である。使用した指はマッチした指より求めることができる。
【００２９】
ステップ２０５で、入力角度検出手段により画面回転手段に入力する回転角度を決定する。
【００３０】
ステップ２０６で、ステップ２０５より入力された回転角度を画面回転手段により回転を行う。
【００３１】
ステップ２０７で、ステップ２０６で回転された回転映像を表示装置に出力し、ステップ２０８に進み一連の処理を終了する。
【００３２】
上記したように、対象の携帯型情報処理装置の用途、形状、ユーザビリティーなどにあわせて、使用する指、画面回転角度の制御、さらにこれらを組み合わせた制御を任意に行うことが可能であり、これにより多段階の画面回転をする場合でもユーザーは１回の入力で目的の回転角度を得ることができるようになる。
【００３３】
（実施の形態２）
本発明に係る携帯型情報処理装置の第２の実施の形態として、カメラ装置を有する携帯型情報処理装置について図５から図７を用いて説明を行う。
【００３４】
図５は本発明の第２の実施の形態に係る携帯型情報処理装置の構成図、図６は動作を示す概略図、図７は画面を回転・合成する処理の一連の流れを示すフローチャートである。
【００３５】
図において、３０１は携帯型情報処理装置３０の表示装置、３０２はユーザーが指紋情報を入力するための指紋情報入力装置、３０３は指紋情報入力装置３０２で入力した指紋の入力角度を求める入力角度検出手段、３０４は入力角度検出手段３０３で求められた角度に従い、適切な角度に表示画面３０１ａを回転させる画面回転手段、３０５はあらかじめ入力しておいた指紋情報を格納し管理する指紋情報管理手段、３０６は指紋情報入力装置３０２によって入力された指紋情報と、指紋情報管理手段３０５に格納されている指紋情報とを比較し、一致度の高い指紋情報を検出する指紋情報比較手段、また、３０７は被写体を撮影するためのカメラ装置、３０８はカメラ装置３０７で撮影した映像データの所定位置に入力角度検出手段３０３で求めた角度に従いデジタルデータを回転して合成する合成データ回転手段である。
【００３６】
なお、図６及び図７では図示していないが、カメラ装置３０７を表示面の裏側に有しているものとする。
【００３７】
なお、この実施の形態では、本発明に係る携帯型情報処理装置の一例として携帯端末型の情報処理装置について説明するが、必ずしも携帯端末型に限ったものではなく、第１の実施の形態で記述したものと同様にさまざまな携帯型情報処理装置を対象とする。
【００３８】
図６において、携帯型情報処理装置３０は表示装置３０１を有しており、さらに指紋情報入力装置３０２を有している。ここで指紋情報入力装置３０２は、指をスライドすることで指紋を入力するタイプのものであるが、実施の形態１で記述したものと同様に、いかなる指紋認証方式、指紋センサでも構わない。
【００３９】
なお、指紋情報入力装置３０２は、指紋認証後はカメラ装置のシャッターとして機能するようになっている。
【００４０】
以上のように構成された第２の実施の形態の携帯型情報処理装置の動作について、図６を用いて説明する。
【００４１】
図６（ａ）のように指１１を縦向き（矢印Ａ方向）に指紋情報入力装置３０２から指紋情報の入力を行うと、その入力がシャッターになり、図で示すような撮影日時が合成された写真が得られたとする。この場合、３０１と同様に、画像３０１ａの向きと日付３０１ｂの向きと位置が適当な写真が得られている。一方、図６（ｂ）のように携帯型情報処理装置３０を横向きにし、図で示すように指１１を横向き（矢印Ｂ方向）に指紋情報を入力すると、前記同様その入力がシャッターになり、図で示す撮影日時が合成された写真が得られる。この場合、画像３０１ａの向きと日付の向き３０１ｂと位置が適当な写真が得られている。
【００４２】
このように、指紋情報の入力によって指紋情報そのものの入力と同時に方向情報を入力することが可能であるため、得られたデータに別のデータを追加・合成することが求められる場合に、元のデータの方向情報が入力時にすでに入っているため、適切な場所、方向にリアルタイムで合成することが可能となる。ここで、入力する方向情報は、実施の形態１における図３の説明にて記述されているものと同様の方法で決定する。
【００４３】
なお、本実施の形態では合成するデータを撮影日時としたが、この他にＧＰＳなどを用いて座標情報や地域名、あらかじめ入力しておいた文字や画像などのデータを合成対象としても構わない。
【００４４】
次に、本発明の実施の形態におけるカメラ装置から入力された映像と他のデータとを回転・合成する処理の流れを図７のフローチャートを用いて説明する。
【００４５】
ステップ４０１〜４０３は、実施の形態１におけるステップ２０１〜２０３と全く同じであるため省略する。
【００４６】
ステップ４０４で、カメラ装置により写真撮影を行う。
【００４７】
ステップ４０５で、指紋情報の入力角度を入手し、必要であれば使用した指がどの指かを入手する。
【００４８】
ステップ４０６で、入力角度検出手段により合成データ回転手段に入力する方向情報を決定する。方向情報の決定方法については実施の形態１において述べたものと同じであるため割愛する。
【００４９】
ステップ４０７で、ステップ４０６より入力された方向情報を元に合成データ回転手段にて、写真映像に対し合成するデータを適切な向き、位置に配置し合成する。
【００５０】
ステップ４０８で、ステップ４０７で合成された映像を表示装置に出力し、ステップ４０９に進み、一連の処理を終了する。
【００５１】
このように、本実施の形態では、映像撮影時に入力角度検出手段で検出した入力角度に対応して、カメラ装置で撮影した映像データの所定位置に、デジタルデータを回転して合成する合成データ回転手段を有することで、指紋の入力角度から被写体の回転角度を決定して最適な位置に撮影情報を合成することができる。
【産業上の利用可能性】
【００５２】
本発明にかかる情報処理装置は、無駄なボタンや操作を無くし、スペース確保と操作性を向上させることができ、指紋照合技術を有したデジタルカメラや、携帯電話、タブレット型の情報端末などの情報処理装置として有用である。
【図面の簡単な説明】
【００５３】
【図１】本発明の第１の実施の形態に係る携帯型情報処理装置の構成図
【図２】本発明の第１の実施の形態に係る携帯型情報処理装置の動作を示す概略図
【図３】本発明の第１の実施の形態に係る携帯型情報処理装置の指紋情報入力装置の入力角度と画面の回転角度の関係を表す図
【図４】本発明の第１の実施の形態に係る携帯型情報処理装置の画面回転処理の一連の流れを示すフローチャート
【図５】本発明の第２の実施の形態に係る携帯型情報処理装置の構成図
【図６】本発明の第２の実施の形態に係る携帯型情報処理装置の動作を示す概略図
【図７】本発明の第２の実施の形態に係る携帯型情報処理装置の画面の回転・合成処理を示すフローチャート
【図８】従来の携帯型情報処理装置を示す概略図
【符号の説明】
【００５４】
１０１、３０１  表示装置
１０１ａ、３０１ａ  表示画面
１０２、３０２  指紋情報入力装置
１０３、３０３  入力角度検出手段
１０４、３０４  画面回転手段
１０５、３０５  指紋情報管理手段
１０６、３０６  指紋情報比較手段
３０７  カメラ装置
３０８  合成データ回転手段
【図１】
2006072872.tif 000003
【図２】
2006072872.tif 000004
【図３】
2006072872.tif 000005
【図４】
2006072872.tif 000006
【図５】
2006072872.tif 000007
【図６】
2006072872.tif 000008
【図７】
2006072872.tif 000009
【図８】
2006072872.tif 000010